(57)【要約】【課題】一方向において、自在に可変可能な梱包用緩衝材を提供する。【解決手段】カセット収納部へテープカセットを３つ収納する場合には、カセット収納部の残りのスペースが非常に少なくなる。従って、変形量が大きく、潰れた梱包用緩衝材１が挿入される。この場合、第一屈曲部４２に第三屈曲部５１が深く進入し、第四屈曲部５２に第二屈曲部４１が深く進入している。３つのテープカセットがカセット収納部へ収納された残りのスペースを梱包用緩衝材１が埋める。【選択図】図１０
2015085966.tif 000002
【特許請求の範囲】
【請求項１】
矩形の第一平面板と、
前記第一平面板と対向する矩形の第二平面板と、
前記第一平面板の一端部と前記第二平面板の一端部との間に設けられた第一側面板と、
前記第一平面板の前記一端部と反対側の他端部と前記第二平面板の前記一端部と反対側の他端部との間に設けられた第二側面板と
を備えた角筒の形状に形成され、
前記第一側面板は、
前記第一平面板の前記一端部と交差する方向に延設された第一側端部及び第二側端部と、
前記第一平面板の前記一端部と交差する方向に形成された第一切込み部と、
前記第一側端部と前記第一切込み部との間において、前記第一平面板の前記一端部と平行に形成され、前記角筒の外側に屈曲する第一屈曲部と、
前記第二側端部と前記第一切込み部との間において、前記第一平面板の前記一端部と平行に形成され、前記角筒の内側に屈曲する第二屈曲部とを備え、
前記第二側面板は、
前記第一側面板の前記第一側端部と対向する第三側端部と、
前記第一側面板の前記第二側端部と対向する第四側端部と、
前記第一切込み部と対向し、前記第一平面板の前記他端部と交差する方向に形成された第二切込み部と、
前記第三側端部と前記第二切込み部との間において、前記第一平面板の前記他端部と平行に形成され、前記角筒の内側に屈曲する第三屈曲部と、
前記第四側端部と前記第二切込み部との間において、前記第一平面板の前記一端部と平行に形成され、前記角筒の外側に屈曲する第四屈曲部とを備え、
前記第一平面板の前記一端部から前記第一切込み部の前記第一平面板の前記一端部側までの距離が、前記第一切込み部の前記第一平面板の前記一端部側から前記第一屈曲部の距離までの長さ以上であり、
前記第一平面板の前記他端部から前記第二切込み部の前記第二平面板の前記他端部側までの距離が、前記第二切込み部の前記第二平面板の前記他端部側から前記第二屈曲部の距離までの長さ以上であり、
前記第一屈曲部に前記第三屈曲部が進入可能であり、
前記第四屈曲部に前記第二屈曲部が進入可能であることを特徴とする梱包用緩衝材。
【請求項２】
前記第一切込み部及び前記第二切込み部は、所定幅の隙間であることを特徴とする請求項１に記載の梱包用緩衝材。
【請求項３】
前記梱包用緩衝材は、段ボール板から形成され、
前記第二平面板の厚さ方向において互いに対向する少なくとも一組の面の間に設けられ、一定方向に延設される山部及び谷部が交互に配置されることで波形状をなす中芯をさらに備え、
前記山部及び前記谷部の延設方向は、前記第二平面板の前記一端部及び前記他端部と平行であることを特徴とする請求項１又は２に記載の梱包用緩衝材。
【発明の詳細な説明】
【技術分野】
【０００１】
本発明は、隙間を埋める梱包用緩衝材に関する。
【背景技術】
【０００２】
従来、上面板と、左右の側面板と、底面板とを備えた筒形をなし、両側面板の高さ方向の少なくとも一部を横断して、縦断面内向きＶ字形に屈曲され、折り目の弾性により上下に屈曲伸縮可能となった段ボール紙製の包装用緩衝材が知られている（例えば、特許文献１参照）。
【先行技術文献】
【特許文献】
【０００３】
【特許文献１】特開２０１０−３６９２５号公報
【発明の概要】
【発明が解決しようとする課題】
【０００４】
特許文献１に記載の梱包用緩衝材では、変形できる範囲に限りがあり、被収納物の数や大きさの変化に十分対応できない。被収納物の収納部で余るスペースは、梱包する被収納物の形状により異なる。そのため、梱包用緩衝材は梱包されるものに応じて新設計される必要があり、コストも大きくなるという問題点があった。
【０００５】
本発明の目的は、一方向において、自在に可変可能な梱包用緩衝材を提供することである。
【課題を解決するための手段】
【０００６】
本発明に係る梱包用緩衝材は、矩形の第一平面板と、前記第一平面板と対向する矩形の第二平面板と、前記第一平面板の一端部と前記第二平面板の一端部との間に設けられた第一側面板と、前記第一平面板の前記一端部と反対側の他端部と前記第二平面板の前記一端部と反対側の他端部との間に設けられた第二側面板とを備えた角筒の形状に形成され、前記第一側面板は、前記第一平面板の前記一端部と交差する方向に延設された第一側端部及び第二側端部と、前記第一平面板の前記一端部と交差する方向に形成された第一切込み部と、前記第一側端部と前記第一切込み部との間において、前記第一平面板の前記一端部と平行に形成され、前記角筒の外側に屈曲する第一屈曲部と、前記第二側端部と前記第一切込み部との間において、前記第一平面板の前記一端部と平行に形成され、前記角筒の内側に屈曲する第二屈曲部とを備え、前記第二側面板は、前記第一側面板の前記第一側端部と対向する第三側端部と、前記第一側面板の前記第二側端部と対向する第四側端部と、前記第一切込み部と対向し、前記第一平面板の前記他端部と交差する方向に形成された第二切込み部と、前記第三側端部と前記第二切込み部との間において、前記第一平面板の前記他端部と平行に形成され、前記角筒の内側に屈曲する第三屈曲部と、前記第四側端部と前記第二切込み部との間において、前記第一平面板の前記一端部と平行に形成され、前記角筒の外側に屈曲する第四屈曲部とを備え、前記第一平面板の前記一端部から前記第一切込み部の前記第一平面板の前記一端部側までの距離が、前記第一切込み部の前記第一平面板の前記一端部側から前記第一屈曲部の距離までの長さ以上であり、前記第一平面板の前記他端部から前記第二切込み部の前記第二平面板の前記他端部側までの距離が、前記第二切込み部の前記第二平面板の前記他端部側から前記第二屈曲部の距離までの長さ以上であり、前記第一屈曲部に前記第三屈曲部が進入可能であり、前記第四屈曲部に前記第二屈曲部が進入可能であることを特徴とする。
【０００７】
この梱包用緩衝材は、第一屈曲部及び第四屈曲部が角筒の外側に屈曲し、第二屈曲部及び第三屈曲部が角筒の内側に屈曲する。従って、第一平面板と第二平面板とが接近するように梱包用緩衝材が変形する。第一屈曲部から第四屈曲部の屈曲する量を変更することで、任意の大きさに可変可能である。また、第一屈曲部から第四屈曲部はバネ性を有するので、梱包用緩衝材は、耐衝撃性に優れ緩衝材の役割を果たすことができる。また、第一屈曲部に第三屈曲部が進入可能であり、第四屈曲部に第二屈曲部が進入可能であるので、第一平面板と第二平面板とが接近して梱包用緩衝材を薄い状態まで変形可能である。従って、梱包用緩衝材の第一平面板と第二平面板との距離の可変量を大きくできる。従って、一方向において、自在に可変可能な梱包用緩衝材を実現できる。また、梱包用緩衝材を薄い状態まで変形しても第一屈曲部及び第四屈曲部が、前記第一平面板の一端部よりはみ出すことがない。
【０００８】
前記梱包用緩衝材において、前記第一切込み部及び前記第二切込み部は、所定幅の隙間であってもよい。
【０００９】
この場合、第一切込み部及び前記第二切込み部に隙間が有るので、第一平面板と第二平面板とが接近するように梱包用緩衝材が変形し、第一屈曲部に第三屈曲部が進入し、第四屈曲部に第二屈曲部が進入した状態で、第二屈曲部の内側の端部と第三屈曲部の内側の端部との間にクリアランスが維持される。従って、第二屈曲部の内側の端部と第三屈曲部の内側の端部とが擦れ合うことを防止できる。
【００１０】
前記梱包用緩衝材は、段ボール板から形成され、前記第二平面板の厚さ方向において互いに対向する少なくとも一組の面の間に設けられ、一定方向に延設される山部及び谷部が交互に配置されることで波形状をなす中芯をさらに備え、前記山部及び前記谷部の延設方向は、前記第二平面板の前記一端部及び前記他端部と平行であってもよい。
【００１１】
この場合、段ボール板の中芯の山部及び谷部の延設方向は、第二平面板の一端部及び他端部と平行であるので、第二平面板の一端部及び他端部を折り曲げる方向への剛性を高めることができる。
【図面の簡単な説明】
【００１２】
【図１】ケース１００のカセット収納部１０２にテープカセット９０及び梱包用緩衝材１が収容された状態を示す斜視図である。
【図２】梱包用緩衝材１を右斜め上方から見た斜視図である。
【図３】梱包用緩衝材１の正面図である。
【図４】梱包用緩衝材１の左側面図である。
【図５】第一実施の形態の梱包用緩衝材１の内側から見た展開図である。
【図６】ケース１００のカセット収納部１０２にテープカセット９０を１つと梱包用緩衝材１とが収容された状態を示す正面図である。
【図７】ケース１００のカセット収納部１０２にテープカセット９０を２つと梱包用緩衝材１とが収容された状態を示す正面図である。
【図８】梱包用緩衝材１が中程度に圧縮された状態を示す正面図である。
【図９】ケース１００のカセット収納部１０２にテープカセット９０を３つと梱包用緩衝材１とが収容された状態を示す正面図である。
【図１０】梱包用緩衝材１が大きく圧縮された状態を示す正面図である。
【図１１】第二実施の形態の梱包用緩衝材１の内側から見た展開図である。
【発明を実施するための形態】
【００１３】
以下、本発明を具体化した実施の形態について、図面を参照して説明する。尚、参照する図面は、本発明が採用しうる技術的特徴を説明するために用いられるものであり、単なる説明例である。
【００１４】
図１を参照して、第一実施の形態に係る梱包用緩衝材１の使用状態について説明する。図示しないテープ印字装置及びテープカセット９０は、運搬時には、ケース１００に収納される。ケース１００には、扉１１０と図示しない扉とが、図示しない蝶番で開閉可能になっている。扉１１０の内側には、図示しないテープ印字装置を収納する印字装置収納部１０１と、テープカセット９０を収納するカセット収納部１０２と、図示しない電源装置を収納する電源収納部１０３と、図示しない取り扱い説明書を収納する説明書収納部１０４と、把持部１０５とが形成されている。カセット収納部１０２には、被収納物であるテープカセット９０と隙間を埋めるための梱包用緩衝材１とが収納される。
【００１５】
次に、図２〜図５を参照して、第一実施の形態に係る梱包用緩衝材１の構造を説明する。図５に示すように、梱包用緩衝材１は、平面視、略矩形の段ボール板７で構成されている。段ボール板７には、互いに対向する段ボール板７の表面及び裏面の間に設けられ、段ボール板７の長手方向と直交する方向に延設される山部及び谷部が交互に配置されることで波形状をなす中芯２が設けられている。中芯２の山部及び谷部の延設方向は、第二平面板２０の一端部２１及び他端部２２と平行である。従って、段ボール板７の長手方向と直交する方向の折り曲げ強度が向上する。
【００１６】
図２〜図４に示すように、梱包用緩衝材１は、平面視矩形の第一平面板１０と、第一平面板１０と対向する平面視矩形の第二平面板２０と、第一平面板１０の一端部１１と第二平面板２０の一端部２１との間に設けられた第一側面板４０と、第一平面板１０の一端部１１とは反対側の他端部１２と第二平面板２０の一端部２１とは反対側の他端部２２との間に設けられた第二側面板５０とを備えた角筒の形状に形成されている。また、第一平面板１０の内側には、第一平面板１０と平行に平面視矩形の第三平面板３０が設けられている。第三平面板３０の一端部３１は、第一平面板１０の一端部１１に接近し、第三平面板３０の他端部３２は、第二側面板５０と接続している。
【００１７】
次に、図２、図３及び図５を参照して、第一側面板４０について説明する。第一側面板４０は、第一平面板１０の一端部１１と交差する方向に延設された第一側面板４０の幅方向の端部である第一側端部４３及び第二側端部４４を備えている。第一側端部４３及び第二側端部４４の間には、第一平面板１０の一端部１１及び第二平面板２０の一端部２１と各々交差（一例として、直交）する方向に形成された切込みである第一切込み部４５が所定長さ形成されている。また、第一側面板４０は、第一側端部４３と第一切込み部４５との間において、第一平面板１０の一端部１１及び第二平面板２０の一端部２１と各々平行に形成され、角筒の外側に屈曲する第一屈曲部４２を備えている。一例として、第一切込み部４５は、第一側面板４０の第一側端部４３と第二側端部４４との中央部に形成されている。
【００１８】
第一屈曲部４２は、第一側面板４０の外側（図５では裏面側）の頂上である頂上部４２Ａと、頂上部４２Ａと第一平面板１０の一端部１１との間において第一平面板１０の一端部１１と平行に形成され外側（図５では裏面側）から谷折りするための谷部４２Ｂと、頂上部４２Ａと第二平面板２０の一端部２１との間において第二平面板２０の一端部２１と平行に形成され外側（図５では裏面側）から谷折りするための谷部４２Ｃとを備えている。頂上部４２Ａは第一平面板１０の一端部１１と第二平面板２０の一端部２１との中間部に形成されている。第一切込み部４５の一端部４５Ａは谷部４２Ｂの起点であり、第一切込み部４５の他端部４５Ｂは谷部４２Ｃの起点である。図５に示すように、第一平面板１０の一端部１１と谷部４２Ｂとの間の距離Ｌ１は、谷部４２Ｂと頂上部４２Ａとの間の距離Ｌ２の長さ以上である。また、第二平面板２０の一端部２１と谷部４２Ｃとの間の距離Ｌ３は、谷部４２Ｃと頂上部４２Ａとの間の距離Ｌ４の長さ以上である。また、第一側面板４０の第二側端部４４と第一切込み部４５との間において、第一平面板１０の一端部１１及び第二平面板２０の一端部２１と各々平行に形成され、角筒の内側に屈曲する第二屈曲部４１が形成されている。第二屈曲部４１は第一側面板４０を外側から（図５では裏面側から）から谷折りするための折り目である。
【００１９】
次に、図２、図３及び図５を参照して、第二側面板５０について説明する。第二側面板５０は、第二平面板２０の他端部２２及び第三平面板３０の他端部３２と各々交差する方向に延設された第二側面板５０の幅方向の端部である第三側端部５３及び第四側端部５４を備えている。第三側端部５３は、第一側面板４０の第一側端部４３と対向する。第四側端部５４は、第一側面板４０の第二側端部４４と対向する。また、第三側端部５３及び第四側端部５４の間には、第三平面板３０の他端部３２及び第二平面板２０の他端部２２と各々交差（一例として、直交）する方向に形成された切込みである第二切込み部５５が所定長さ形成されている。一例として、第二切込み部５５は、第二側面板５０の第三側端部５３と第四側端部５４との中央部に形成されている。
【００２０】
また、第二側面板５０は、第四側端部５４と第二切込み部５５との間において、第三平面板３０の他端部３２及び第二平面板２０の他端部２２と各々平行に形成され、角筒の外側に屈曲する第四屈曲部５２を備えている。第四屈曲部５２は、第二側面板５０の外側（図５では裏面側）の頂上である頂上部５２Ａと、頂上部５２Ａと第三平面板３０の他端部３２との間において第三平面板３０の他端部３２と平行に形成され外側（図５では裏面側）から谷折りするための谷部５２Ｂと、頂上部５２Ａと第二平面板２０の他端部２２との間において第二平面板２０の他端部２２と平行に形成され外側（図５では裏面側）から谷折りするための谷部５２Ｃとを備えている。頂上部５２Ａは第三平面板３０の他端部３２と第二平面板２０の他端部２２との中間部に形成されている。第二切込み部５５の一端部５５Ａは谷部５２Ｂの起点であり、第二切込み部５５の他端部５５Ｂは谷部５２Ｃの起点である。第三平面板３０の他端部３２と谷部５２Ｂとの間の距離Ｌ５は、谷部５２Ｂと頂上部５２Ａとの間の距離Ｌ６の長さ以上である。また、第二平面板２０の他端部２２と谷部５２Ｃとの間の距離Ｌ７は、谷部５２Ｃと頂上部５２Ａとの間の距離Ｌ８の長さ以上である。また、第二側面板５０の第三側端部５３と第二切込み部５５との間において、第三平面板３０の他端部３２及び第二平面板２０の他端部２２と各々平行に形成され、角筒の内側に屈曲する第三屈曲部５１が形成されている。第三屈曲部５１は第二側面板５０を外側から（図５では裏面側から）から谷折りするための折り目である。尚、図５において、第二切込み部５５は、第一切込み部４５の形成方向に延設した仮想線上に形成される。従って、図２及び図３のように梱包用緩衝材１の組み立て時には、第二切込み部５５は、第一切込み部４５に対向する。
【００２１】
次に、図５を参照して、梱包用緩衝材１を展開した段ボール板７を説明する。図５は、梱包用緩衝材１を展開した内面を示している。平面視略矩形の段ボール板７は、図５に於ける下側から上側に向けて、第一平面板１０、第一側面板４０、第二平面板２０、第二側面板５０及び第三平面板３０が一列に並んでいる。第一平面板１０、第二平面板２０、第三平面板３０、第一側面板４０及び第二側面板５０は、平面視、各々矩形である。第一平面板１０と第一側面板４０との間には、段ボール板７の長手方向と直交する方向に外側（図５では裏面側）から山折りする折り目３が設けられ、第一側面板４０と第二平面板２０との間には、段ボール板７の長手方向と直交する方向に外側（図５では裏面側）から山折りする折り目４が設けられ、第二平面板２０と第二側面板５０との間には、段ボール板７の長手方向と直交する方向に外側（図５では裏面側）から山折りする折り目５が設けられ、第二側面板５０と第三平面板３０との間には、段ボール板７の長手方向と直交する方向に外側（図５では裏面側）から山折りする折り目６が設けられている。
【００２２】
従って、段ボール板７は、折り目３、折り目４、折り目５及び折り目６に於いて、内側（図５では表面側）から谷折りされ、第一屈曲部４２の頂上部４２Ａ及び第四屈曲部５２の頂上部５２Ａが内側（図５では表面側）から谷折りされ、第二屈曲部４１、第三屈曲部５１、谷部４２Ｂ，４２Ｃ，５２Ｂ，５２Ｃが内側（図５では表面側）から山折りされる。次いで、第三平面板３０が第一平面板１０の内側に重ねられると、図２〜図４に示す正面視略スピンドル型の角筒である梱包用緩衝材１が形成される。段ボール板７の大きさは、形成する梱包用緩衝材１の大きさに合わせて決定すれば良い。
【００２３】
次に、図３、図６〜図１０を参照して、ケース１００のカセット収納部１０２へのテープカセット９０と梱包用緩衝材１との収納を説明する。初めに、図３及び図６を参照して、カセット収納部１０２へ１つのテープカセット９０と梱包用緩衝材１とが収納される場合を説明する。カセット収納部１０２へテープカセット９０が１つ収納される場合には、カセット収納部１０２の残りのスペースが大きくなる。従って、図３及び図６に示すように、変形量が少ない梱包用緩衝材１がカセット収納部１０２の残りのスペースに挿入される。この場合、梱包用緩衝材１の段ボール板７の折り目である第一屈曲部４２、第二屈曲部４１、第三屈曲部５１及び第四屈曲部５２は、段ボール板７の剛性により屈曲が小さくなり、第一平面板１０と第二平面板２０との距離は長くなる。従って、図３に示すように、第一屈曲部４２に第三屈曲部５１が進入しておらず、また、第四屈曲部５２に第二屈曲部４１が進入していない。図６に示すように、１つのテープカセット９０がカセット収納部１０２へ収納された残りのスペースを梱包用緩衝材１が埋める。
【００２４】
次に、図７及び図８を参照して、カセット収納部１０２へ２つのテープカセット９０と梱包用緩衝材１とが収納される場合を説明する。カセット収納部１０２へテープカセット９０が２つ収納される場合には、カセット収納部１０２の残りのスペースが半分以下になる。従って、図７及び図８に示すように、変形量が中程度の梱包用緩衝材１が挿入される。この場合、図８に示すように、第一屈曲部４２に第三屈曲部５１が進入し、第四屈曲部５２に第二屈曲部４１が進入している。図７に示すように、２つのテープカセット９０がカセット収納部１０２へ収納された残りのスペースを梱包用緩衝材１が埋める。
【００２５】
次に、図９及び図１０を参照して、カセット収納部１０２へ３つのテープカセット９０と梱包用緩衝材１とが収納される場合を説明する。カセット収納部１０２へテープカセット９０が３つ収納される場合には、カセット収納部１０２の残りのスペースが非常に少なくなる。従って、図９及び図１０に示すように、変形量が大きく、潰れた梱包用緩衝材１が挿入される。この場合、図１０に示すように、第一屈曲部４２に第三屈曲部５１が深く進入し、第四屈曲部５２に第二屈曲部４１が深く進入している。３つのテープカセット９０をカセット収納部１０２へ収納した残りのスペースを図９に示すように梱包用緩衝材１が埋める。
【００２６】
以上説明したように、上記第一実施の形態の梱包用緩衝材１では、第一屈曲部４２に第三屈曲部５１が進入でき、第四屈曲部５２に第二屈曲部４１が進入できるので、 第一平面板１０と第二平面板２０とが接近して梱包用緩衝材１を薄い状態まで変形可能である。従って、梱包用緩衝材１の第一平面板１０と第二平面板２０との距離の可変量を大きくできる。よって、一方向において、自在に可変可能な梱包用緩衝材１を提供できる。また第一屈曲部４２、第二屈曲部４１、第三屈曲部５１及び第四屈曲部５２は段ボール板７の剛性によりバネ性を有するので、梱包用緩衝材１は耐衝撃性に優れ、緩衝材の役割を十分に果たすことができる。また、第三平面板３０が第一平面板１０に重なるので、梱包用緩衝材１の強度が上がる。さらに、段ボール板７の中芯２の山部及び谷部の延設方向は、第二平面板２０の一端部２１及び他端部２２と平行であるので、第二平面板２０の一端部２１及び他端部２２を折り曲げる方向への剛性を高めることができる。
【００２７】
また、第一実施の形態の梱包用緩衝材１では、第一平面板１０の一端部１１と谷部４２Ｂとの間の距離Ｌ１は、谷部４２Ｂと頂上部４２Ａとの間の距離Ｌ２の長さ以上である。また、第二平面板２０の一端部２１と谷部４２Ｃとの間の距離Ｌ３は、谷部４２Ｃと頂上部４２Ａとの間の距離Ｌ４の長さ以上である。また、第三平面板３０の他端部３２と谷部５２Ｂとの間の距離Ｌ５は、谷部５２Ｂと頂上部５２Ａとの間の距離Ｌ６の長さ以上である。また、第二平面板２０の他端部２２と谷部５２Ｃとの間の距離Ｌ７は、谷部５２Ｃと頂上部５２Ａとの間の距離Ｌ８の長さ以上である。従って、梱包用緩衝材１が薄い状態まで変形しても、第一屈曲部４２が第一平面板１０の一端部１１及び第二平面板２０の一端部２１よりはみ出すことがない。また、第四屈曲部５２が第一平面板１０の他端部１２及び第二平面板２０の他端部２２よりはみ出すことがない。
【００２８】
次に、図１１を参照して、本発明の第二実施の形態について説明する。第二実施の形態の梱包用緩衝材１は、第一実施の形態とは、第一切込み部４６及び第二切込み部５６の形状が異なるのみであり、他の形状は同じである。従って、第一実施の形態と異なる点のみを説明する。図１１に示すように、第二実施の形態の梱包用緩衝材１の第一切込み部４６は幅Ｌ９を有した平面視矩形の開口部であり、第二切込み部５６は幅Ｌ１０を有した平面視矩形の開口部である。第一切込み部４６及び第二切込み部５６が所定の幅を有する場合には、第一切込み部４６及び前記第二切込み部５６に各々隙間が有るので、第一平面板１０と第二平面板２０とが接近するように梱包用緩衝材１が変形し、第一屈曲部４２に第三屈曲部５１が進入し、第四屈曲部５２に第二屈曲部４１が進入した状態で、第二屈曲部４１の幅方向の内側の端部と第三屈曲部５１の幅方向の内側の端部との間にクリアランスが維持される。従って、第二屈曲部４１の内側の端部と第三屈曲部５１の内側の端部とが擦れ合うことを防止できる。
【００２９】
尚、本発明は、上記実施の形態に限られず各種の変形が可能である。例えば、第一切込み部４５は、第一側面板４０の第一側端部４３及び第二側端部４４間の中央でなく、第一側端部４３側又は第二側端部４４側の何れか側に寄っていてもよい。この場合には、第二切込み部５５も第一切込み部４５に対向するように、第二側面板５０の第三側端部５３及び第四側端部５４の何れか側に寄せる。また、梱包用緩衝材１は、テープカセット９０の数の変化だけでなく、１つのテープカセット９０の厚みの変化にも対応できる。尚、梱包用緩衝材１は、上記実施の形態以外の各種の被収納物の収納部の隙間を埋めるために使用できる。
【符号の説明】
【００３０】
１ 梱包用緩衝材
７ 段ボール板
１０ 第一平面板
１１ 一端部
１２ 他端部
２０ 第二平面板
２１ 一端部
２２ 他端部
３０ 第三平面板
３１ 一端部
３２ 他端部
４０ 第一側面板
４１ 第二屈曲部
４２ 第一屈曲部
４３ 第一側端部
４４ 第二側端部
４５ 第一切込み部
５０ 第二側面板
５１ 第三屈曲部
５２ 第四屈曲部
５３ 第三側端部
５４ 第四側端部
５５ 第二切込み部
９０ テープカセット
１００ ケース
１０２ カセット収納部
【図１】
2015085966.tif 000003
【図２】
2015085966.tif 000004
【図３】
2015085966.tif 000005
【図４】
2015085966.tif 000006
【図５】
2015085966.tif 000007
【図６】
2015085966.tif 000008
【図７】
2015085966.tif 000009
【図８】
2015085966.tif 000010
【図９】
2015085966.tif 000011
【図１０】
2015085966.tif 000012
【図１１】
2015085966.tif 000013